(57)【要約】      （修正有）【課題】軽量で耐衝撃性に優れる運動用保護マスクを提供する。【解決手段】マグネシウム合金により一体形成され、顔を覆うように形成されたメインフレーム２と、このメインフレーム２に一体的に形成され、メインフレーム２の周囲に形成される周辺フレーム３とを備える。メインフレーム２と周辺フレーム３とは、上下方向と平行な垂直分割線を境に左右対称である。メインフレーム２は複数の第１の保護バー２１と第２の保護バー２２とを備える。すなわち、複数の第１の保護バー２１は、装着者の両目を結ぶ方向と平行となる左右方向へ互いに間隔をあけるように延伸する。また、複数の第２の保護バー２２は、複数の第１の保護バー２１のうちの隣り合う２個を接続するように、左右方向と交差する方向へ延伸する。更に、各第１の保護バー２１における少なくともいずれかには、左右方向における略中央に、前後方向の外側へ突起した第１の突起部２３が形成される。【選択図】図４
0003219312.tif 000002
【実用新案登録請求の範囲】
【請求項１】
装着者の両目を結ぶ方向と平行となる左右方向へ互いに間隔をあけるように延伸する複数の第１の保護バーと、
前記複数の第１の保護バーのうちの隣り合う２個を接続するように、前記左右方向と交差する方向へ延伸する複数の第２の保護バーと、により構成され、且つマグネシウム合金により一体形成されたメインフレームを備え、
前記メインフレームの各前記第１の保護バーは、それぞれ
前記左右方向に直交する前後方向には、所定の厚さに形成された第１の前後方向厚を有し、且つ前記左右方向及び前記前後方向のいずれにも直交する上下方向には、前記第１の前後方向厚よりも薄い上下方向厚を有しており、
更に、各前記第１の保護バーにおける少なくともいずれかには、前記左右方向における略中央に、前記前後方向の外側へ突起した第１の突起部が形成される
ことを特徴とする運動用保護マスク。
【請求項２】
全ての前記第１の保護バーには、前記第１の突起部がそれぞれ形成されており、
各前記第１の突起部は、
前記前後方向の厚さが最大となる第１の突起点と、
一端が前記第１の突起点に接続されると共に、前記第１の突起点から離れるにつれて前記前後方向における厚さが前記第１の前後方向厚となるまで徐々に薄くなるように形成された一対の第１の翼部と、を有する
ことを特徴とする請求項１に記載の運動用保護マスク。
【請求項３】
前記第２の保護バーは、前記第１の保護バーを接続する両端部の径が拡大するように形成された一対の拡径部と前記一対の拡径部を接続する中間部とを備え、
前記第２の保護バーの前記中間部は、それぞれ、
前記前後方向には、所定の厚さに形成された第２の前後方向厚を有し、且つ前記左右方向には、前記第２の前後方向厚よりも薄い左右方向厚を有する、
ことを特徴とする請求項１又は２に記載の運動用保護マスク。
【請求項４】
前記メインフレームが有する複数の前記第２の保護バーは、前記左右方向における中央を境にそれぞれ左右対称に設けられており、
前記第１の保護バーと前記第２の保護バーとが略十字に交差する各連結箇所に、それぞれ１つの第２の突起部が形成され、
各前記第２の突起部は、
前記前後方向への厚さが最大となる第２の突起点と、
一端が前記第２の突起点に接続されると共に、前記第２の突起点から離れるにつれて前記前後方向における厚さが前記第１の前後方向厚又は前記第２の前後方向厚になるまで徐々に薄くなるように形成された第２の翼部と、を有する
ことを特徴とする請求項３に記載の運動用保護マスク。
【請求項５】
前記上下方向の上側に凸となる円弧を呈するように前記メインフレームの外周で各前記第１の保護バーと前記第２の保護バーに接続された外枠と、
前記外枠より小さい前記上下方向の上側に凸となる円弧を呈して各前記第１の保護バーと前記第２の保護バーに前記外枠の内側で接続された内枠と、
前記左右方向における中央を境に左右対称に設けられ、且つ前記外枠から装着者の両耳の方向へそれぞれ延伸する一対のサイド枠と、
前記上下方向の最も下に位置する１つの前記第１の保護バーから、装着者の首を覆うように更に下側へ延伸する下枠と、を有し、
且つマグネシウム合金により前記メインフレームと一体形成された周辺フレームを更に備える請求項１〜４のいずれか一項に記載の運動用保護マスク。
【考案の詳細な説明】
【技術分野】
【０００１】
本考案は運動用保護マスクに関し、特に軽量で耐衝撃性に優れる運動用保護マスクに関する。
【背景技術】
【０００２】
一般に、野球やソフトボールの試合では、キャッチャー（捕手）とプレートアンパイア（球審）は、バッターがファウルチップし後ろに逸れた打球が当たる恐れが高いため、キャッチャーマスク（運動用保護マスク）その他のプロテクターを装着し、顔や体をボールの衝突から守る必要がある。
【０００３】
一方、従来は運動用保護マスクのフレームを金属で形成したものが主流であったが、近年は軽量化を目的としてプラスチック材料でフレームを形成した運動用保護マスクも利用され始めている。
【０００４】
このような従来の運動用保護マスクについて図１〜図３を参照して説明する。ここで、図１は従来の運動用保護マスクの斜視図であり、図２は図１のII―II断面図であり、図３は従来の運動用保護マスクの平面図（上下方向の上側から見た図）である。
【０００５】
従来の運動用保護マスク１はプラスチック材料で一体成形されており、略円環状の周辺枠１１と、この周辺枠１１の内側に配置されるよう周辺枠１１と一体的に形成された本体枠１２とを備える。ここで、本体枠１２は、図１に示すように、左右方向Ｘに延伸する複数の保護バー１２０を備える。
【０００６】
また、各保護バー１２０は、図２に示すように前方に位置するボール対向面１２１と、前後方向Ｙにおいて、このボール対向面１２１の後ろ側に位置する後端面１２２と、これらボール対向面１２１と後端面１２２とを前後方向Ｙに延伸することによって接続する一対の連結面１２３を備える。
【０００７】
また、図２に示すように、ボール対向面１２１と後端面１２２とを接続する一対の前記連結面１２３の前後方向Ｙにおける長さ、即ち保護バー１２０の厚さは、ボールの衝撃に耐えうる厚さとしての対ボール装甲厚である前後方向厚１２５となるように形成される。ここで、従来の運動用保護マスクの前後方向厚１２５は、図２に示すように、上下方向Ｚにおける厚みである上下方向厚１２４より薄い（短い）。
【０００８】
また、従来の運動用保護マスク１は、上述したように、軽量化のために、プラスチック材料を用いて一体形成されているものも存在する。
【考案の概要】
【考案が解決しようとする課題】
【０００９】
しかしながら、プラスチック材料の耐衝撃性は必ずしも十分とは言えない。そのため、プラスチック材料でも十分な強度を得るために各保護バー１２０及び周辺枠１１は厚めに作らなければならない。
【００１０】
特に、ボールの下っ面を叩きファウルチップした打球が直撃する恐れのある各保護バー１２０の厚さを十分に確保する必要がある。しかし、厚くしすぎると、直球に対しては大きな問題は生じないものの、ショートバウンドするボールや高めにすっぽ抜けるようなボールに対しては、保護バー１２０の厚さが問題となりキャッチャー及びプレートアンパイアの視界から外れる恐れがある。
【００１１】
一方、従来の運動用保護マスク１を使用する場合には、ボールは、一般に前後方向Ｙの前側に位置する各保護バー１２０のボール対向面１２１に衝突する。
【００１２】
しかし、各保護バー１２０の前後方向厚１２５は、上下方向厚１２４よりも短いので、各保護バー１２０は、ある程度の衝撃にしか耐えることができず、保護効果が十分とは言えない。
【００１３】
また、従来の運動用保護マスク１のボール対向面１２１は、それぞれ装着者の顔の曲線に沿って前後方向Ｙの前側に凸となるように湾曲している。
【００１４】
そのため、単なる直線状のボール対向面１２１よりも、ブリッジ状を呈することによって強い衝撃に耐えられる。しかしながら、ボールが衝突した箇所は局所的な応力集中が発生してしまい、ボールの進行方向を周りへ逸らせる効果がない。
【００１５】
これらの問題から、従来の運動用保護マスク１の構造に関してはなおも改善の余地がある。
【００１６】
このような事情に鑑みて、本考案は軽量で耐衝撃性に優れる運動用保護マスクを提供することを目的とする。
【課題を解決するための手段】
【００１７】
以上の問題を解決するために、本考案は以下の構成を備える。
【００１８】
装着者の両目を結ぶ方向と平行となる左右方向へ互いに間隔をあけるように延伸する複数の第１の保護バーと、
前記複数の第１の保護バーのうちの隣り合う２個を接続するように、前記左右方向と交差する方向へ延伸する複数の第２の保護バーと、により構成され、且つマグネシウム合金により一体形成されたメインフレームを備え、
前記メインフレームの各前記第１の保護バーは、それぞれ
前記左右方向に直交する前後方向には、所定の厚さに形成された第１の前後方向厚を有し、且つ前記左右方向及び前記前後方向のいずれにも直交する上下方向には、前記第１の前後方向厚よりも薄い上下方向厚を有しており、
更に、各前記第１の保護バーにおける少なくともいずれかには、前記左右方向における略中央に、前記前後方向の外側へ突起した第１の突起部が形成される。
【考案の効果】
【００１９】
本考案は、マグネシウム合金により一体形成されると共に、メインフレームの各第１の保護バーは、それぞれ左右方向に直交する前後方向には、所定の厚さに形成された第１の前後方向厚を有し、且つ各第１の保護バーにおける少なくともいずれかには、左右方向における略中央に、前後方向の外側へ突起した第１の突起部が形成されるので、軽量で耐衝撃性に優れる運動用保護マスクを提供できる。
【図面の簡単な説明】
【００２０】
【図１】従来の運動用保護マスクの斜視図である。
【図２】図１II−II断面図である。
【図３】従来の運動用保護マスクの平面図である。
【図４】本考案の運動用保護マスクの実施形態を説明する斜視図である。
【図５】本考案の運動用保護マスクの要部拡大図である。
【図６】本考案の運動用保護マスクの正面図である。
【図７】図６のVII−VII断面図である。
【図８】図６のVIII−VIII断面図である。
【図９】本考案の運動用保護マスクの平面図である。
【考案を実施するための形態】
【００２１】
次に、本考案の運動用保護マスクの実施形態を図４〜図６を参照して説明する。ここで、図４は本考案の運動用保護マスクの実施形態を説明する斜視図であり、図５は本考案の運動用保護マスクの要部拡大図であり、図６は本考案の運動用保護マスクの正面図である。
【００２２】
本考案の運動用保護マスクは、キャッチャーがヘルメット（図示せず）のつば部（図示せず）を後頭部に向けてかぶり、その上で、顔を覆うように着用するのに適している。また、プレートアンパイアが着用しても良い。
【００２３】
本考案の運動用保護マスクはアルミニウム合金よりも軽い金属を用いて例えばチクソモールディングで形成され、マグネシウム合金によって一体形成されることが好ましい。
【００２４】
ここで、運動用保護マスクは、顔を覆うように形成されたメインフレーム２と、このメインフレーム２に一体的に形成され、メインフレーム２の周囲に形成される周辺フレーム３とを備える。
【００２５】
また、メインフレーム２と周辺フレーム３とは、図６に示すように上下方向Ｚと平行な垂直分割線４を境に左右対称である。すなわち、垂直分割線４は左右方向Ｘの中央に位置する。
【００２６】
また、メインフレーム２は複数の第１の保護バー２１と第２の保護バー２２とを備える。すなわち、複数の第１の保護バー２１は、装着者の両目を結ぶ方向と平行となる左右方向Ｘへ互いに間隔をあけるように延伸する。また、複数の第２の保護バー２２は、複数の第１の保護バー２１のうちの隣り合う２個を接続するように、左右方向Ｘと交差する方向へ延伸する。
【００２７】
なお、図４に示すように、目の高さより上に形成された２個の第２の保護バー２２は、一端が目の高さの直ぐ上の第１の保護バー２１に接続され、上下方向Ｚの上側へ延伸するに従って互いの間隔が開くように形成される。
【００２８】
また、装着者の視界を確保するため、上下方向Ｚにおける目の高さに相当する位置には第２の保護バー２２は形成されていない。
【００２９】
メインフレーム２の各第１の保護バー２１は、装着者の顔の曲率に合うように、前後方向Ｙの前側へ突出し、略円弧状に形成されている。なお、第１の保護バー２１の本数は特に限定されないが、要するに隣合う第１の保護バー２１同士の隙間が、後述する図９のボール５が通過せず且つボール５が嵌まり込まないよう外側へ弾くことができる程度に間隔を狭めて配置し、更に、目の高さにおいては第１の保護バー２１により装着者の視界が遮られない程度に間隔を広げて形成すれば足りる。なお、本考案では５本である。
【００３０】
また、装着者である人間の顔の形状の都合上、上下方向Ｚの中間３本の第１の保護バー２１は目や鼻に加えて頬骨をも守るために長めに形成され、下側は顎を守れれば足りるために短めに形成され、上下方向Ｚの上側は額や前頭部を守るために顎の部分に対応する第１の保護バー２１よりも左右方向Ｘに長めに形成されている。
【００３１】
続いて、図５〜図８を参照して第１の保護バー２１と第２の保護バー２２の詳細な構造について説明する。ここで、図７は図６のVII−VII断面図である。また、図８は図６のVIII−VIII断面図である。
【００３２】
図５と図７に示すように、第１の保護バー２１は、前後方向Ｙの前側に向いた第１のボール対向面２１１と、この第１のボール対向面２１１に対して前後方向Ｙの後ろ側に形成された第１の後端面２１２と、これら第１のボール対向面２１１と第１の後端面２１２を前後方向Ｙに延伸することにより接続する一対の第１の連接面２１３を有する。
【００３３】
また、第１の連接面２１３の長さは、第１の前後方向厚２１４を有するように形成される。一方、第１の連接面２１３同士を繋ぐ上下方向Ｚの厚さは図７に示すように、第１の上下方向厚２１５を有するように形成される。
【００３４】
具体的には、メインフレーム２の各第１の保護バー２１は、それぞれ左右方向Ｘに直交する前後方向Ｙには、所定の厚さに形成された第１の前後方向厚２１４を有し、且つ左右方向Ｘ及び前後方向Ｙのいずれにも直交する上下方向Ｚには、第１の前後方向厚２１４よりも薄い第１の上下方向厚２１５を有する。
【００３５】
第２の保護バー２２は、図６に示すように垂直分割線４を境に左右対称に形成される。また、図４に示すように、第２の保護バー２２は、第１の保護バー２１を接続する両端部の径が拡大するように形成された一対の拡径部２２２と一対の拡径部を接続する中間部２２１とを備える。
【００３６】
更に、図８に示すように、第２の保護バー２２は、前後方向Ｙの前側に向いた第２のボール対向面２２３と、前後方向Ｙにこの第２のボール対向面２２３から間隔をあけて後ろ側に形成される第２の後端面２２４と、これら第２のボール対向面２２３と第２の後端面２２４を前後方向Ｙに延伸することによって接続する一対の第２の連接面２２５を有する。
【００３７】
また、図８に示すように、各第２の保護バー２２の中間部２２１は、それぞれ前後方向Ｙには、所定の厚さに形成された第２の前後方向厚２２６を有し、且つ左右方向Ｘには、第２の前後方向厚２２６よりも薄い左右方向厚２２７を有する。また、第１の保護バー２１と第２の保護バー２２の接続箇所、即ち拡径部２２２には、図５に示すように左右方向Ｘに向いた一対の弧面２２８が形成される。
【００３８】
図５と図６に示すように、メインフレーム２には、第１の保護バー２１の第１のボール対向面２１１に、第１の突起部２３と、第２の突起部２４が設けられる。
【００３９】
ここで、第１の突起部２３は、最大の厚さに形成された第１の突起点２３１と、第１の突起点２３１から両側に向かって徐々に前後方向Ｙにおける厚さが薄くなる一対の第１の翼部２３２とを有する。
【００４０】
なお、図４、図５に示すように、第１の突起点２３１は、図６に示した垂直分割線４（左右方向Ｘにおける中央）上に形成されることが好ましい。これは例えば野球等の場合バッターがファウルチップし軌道が変わった打球は垂直分割線４付近に衝突する確立が比較的高いからであり、第１の突起点２３１から左右方向Ｘのいずれかに若干ずれて衝突すればボール５が左右方向Ｘに逸れて応力集中を緩和できるからである。
【００４１】
なお、本実施形態においての第２の突起部２４の各々は、垂直分割線４を介して左右対称に設けられる。また、第２の突起部２４は、第２の突起点２４１を有し、第２の突起点２４１から左右方向Ｘに延伸し第１の保護バー２１上に形成される２個の第２の翼部２４２と、左右方向Ｘと交差する方向（主として上下方向Ｚに略一致する方向）に延伸し第２の保護バー２２上に形成される２個の第２の翼部２４２とからなる４個の第２の翼部２４２を有する。
【００４２】
また、図５に示すように、第２の突起点２４１は、第１の保護バー２１と、第２の保護バー２２が交差する位置に形成される。
【００４３】
すなわち、メインフレーム２が有する複数の第２の保護バー２２は、左右方向Ｘにおける中央を境にそれぞれ左右対称に設けられており、第１の保護バー２１と第２の保護バー２２とが略十字に交差する各連結箇所に、それぞれ１つの第２の突起部２４が形成される。
【００４４】
また、各第２の突起部２４は、左右方向Ｘ及び上下方向Ｚにおける中央に、前後方向Ｙへの厚さが最大となる第２の突起点２４１と、一端が第２の突起点２４１に接続されると共に、第２の突起点２４１から離れるにつれて前後方向Ｙにおける厚さが第１の前後方向厚２１４又は第２の前後方向厚２２６になるまで徐々に薄くなる第２の翼部２４２と、を有する。
【００４５】
このように、左右方向Ｘにおける中央を境に左右対称に第２の突起部２４が設けられるので、例えば野球等に使用する場合には、左バッターがファウルチップした打球でも右バッターがファウルチップした打球でも、更にはバッターの内角を抉るような直球にバットを当ててファウルで凌いだ場合でも、外へ逃げるスライダー系の球をカットした打球に対しても、応力集中を緩和しやすい。
【００４６】
更に、第２の保護バー２２上にも２個の第２の翼部２４２が形成されていることから、上下方向Ｚにボール５を逸らすことができるので、落ちるボールに食らいつきワンバウンドしたファウルボールが運動用保護マスクに衝突した場合でも、ボール５の下っ面を叩き打球が運動用保護マスクに直撃するような打球に対しても応力集中を緩和し易く、耐衝撃性に優れる。
【００４７】
続いて、周辺フレーム３について詳細に説明する。周辺フレーム３の形状は特に限定されないが、本実施形態の運動用保護マスクは、上下方向Ｚの上側に凸となる円弧を呈するようにメインフレーム２の外周で各第１の保護バー２１と第２の保護バー２２に接続された外枠３２と、外枠３２よりやや小さめに形成され上下方向Ｚの上側に凸となる円弧を呈して各第１の保護バー２１と第２の保護バー２２に外枠３２の内側で接続された内枠３３を有する。
【００４８】
また、周辺フレーム３はこれら外枠３２と内枠３３に加えて、左右方向Ｘにおける中央を境に左右対称に設けられ、且つ外枠３２から装着者の両耳の方向へそれぞれ延伸する一対のサイド枠３１と、上下方向Ｚの最も下に位置する１つの第１の保護バー２１から、装着者の首を覆うように更に下側へ延伸する下枠３３１と、を有する。なお、周辺フレーム３はメインフレーム２と一体形成されマグネシウム合金によって形成される。
【００４９】
図７、図８、図９を参照して運動用保護マスクが野球等の球技に応用された場合の使用方法及び作用効果を説明する。ここで、図８は図６のVIII−VIII断面図であり、図９は本考案の運動用保護マスクの平面図である。
【００５０】
本実施形態では、キャッチャーがヘルメット（図示せず）のつば部（図示せず）を後頭部へ向けてかぶり、その上で顔を覆うように運動用保護マスクを付けることにより、ボール５の顔への衝突を防ぐ。なお、プレートアンパイアが装着しても同様の作用効果がある。
【００５１】
以下、図９に示すボール５が運動用保護マスクのメインフレーム２に衝突した場合の効果を説明する。すなわち、ボール５がメインフレーム２に衝突する際は、第１の保護バー２１と第２の保護バー２２の少なくともいずれかに衝突するが、その際、図７に示すように、第１の保護バー２１は上下方向Ｚに沿った上下方向厚２１５よりも、ボール５の進行方向に対向する第１のボール対向面２１１と第１の後端面２１２との間の厚さである第１の前後方向厚２１４の方が厚い。
【００５２】
また、図８に示すように、各第２の保護バー２２の第２の前後方向厚２２６も左右方向厚２２７より厚く形成される。よって、ボール５の進行方向に対する厚さが従来の運動用保護マスクよりも厚めに形成されるので、より大きな衝撃に耐えることができる。
【００５３】
本実施形態による運動用保護マスクは、軽量で耐衝撃性に優れたマグネシウム合金で一体的に形成される。このため、製造時に、運動用保護マスクのメインフレーム２と周辺フレーム３を形成するバー（第１の保護バー２１、第２の保護バー２２、サイド枠３１等）の径を細くしてもボール５の衝撃に耐ええるので、軽量化できる。
【００５４】
すなわち、本実施形態の運動用保護マスクは、金属材料の一種であるマグネシウム合金を用いて一体的に形成されているが、マグネシウム合金は、その性質上軽量で剛性が強いので、より優れた保護効果を得られる。
【００５５】
また、軽量で剛性に優れたマグネシウム合金を使用するので、第１の前後方向厚２１４と第２の前後方向厚２２６が比較的薄くてもボール５の衝撃に耐えられ、且つこれらのボール装甲厚を薄くできるので、結果として装着者の視界を妨げにくい。
【００５６】
また、ボール５がメインフレーム２の第１の突起部２３又は第２の突起部２４のいずれかに当たると、第１の突起部２３は、第１の保護バー２１から突起した第１の突起点２３１を有し、更に、第２の突起部２４は、第１の保護バー２１および第２の保護バー２２から突起した第２の突起点２４１と、を有するので、第１の保護バー２１又は第２の保護バー２２が撓むと同時にボール５の勢いを左右方向Ｘ又は上下方向Ｚに逸らすことができる。
【００５７】
すなわち、ボール５が運動用保護マスクのメインフレーム２に勢い良く衝突しても、金属で形成され十分な耐衝撃強度を誇る第１の保護バー２１および第２の保護バー２２による保護に加えて、第１の突起部２３又は第２の突起部２４がボール５を上下方向Ｚ又は左右方向Ｘに逸らすので、応力集中を抑えることができる。
【００５８】
以上のように、本考案による運動用保護マスクは、マグネシウム合金によって一体的に形成されたメインフレーム２に加え、ボール５の軌道を逸らし得る第１の突起点２３１及び第２の突起点２４１とを備えるので、軽量で耐衝撃性に優れた運動用保護マスクを提供し得る。
【００５９】
以上の説明は、本考案の実施例に過ぎず、これを以って本実用新案登録請求の範囲を限定するものではない。また、本考案の実用新案請求の範囲及び明細書の内容に簡単な付加や変化を加えたに過ぎないものについても、実用新案登録請求の範囲に記載された考案の技術的範囲に属するものとする。
【符号の説明】
【００６０】
２        メインフレーム
２１      第１の保護バー
２１１    第１のボール対向面
２１２    第１の後端面
２１３    第１の連接面
２１４    第１の前後方向厚
２１５    上下方向厚
２２      第２の保護バー
２２１    中間部
２２２    拡径部
２２３    第２のボール対向面
２２４    第２の後端面
２２５    第２の連接面
２２６    第２の前後方向厚
２２７    左右方向厚
２２８    弧面
２３      第１の突起部
２３１    第１の突起点
２３２    第１の翼部
２４      第２の突起部
２４１    第２の突起点
２４２    第２の翼部
３        周辺フレーム
３１      サイド枠
３２      外枠
３３      内枠
３３１    下枠
４        垂直分割線
５        ボール
【図１】
0003219312.tif 000003
【図２】
0003219312.tif 000004
【図３】
0003219312.tif 000005
【図４】
0003219312.tif 000006
【図５】
0003219312.tif 000007
【図６】
0003219312.tif 000008
【図７】
0003219312.tif 000009
【図８】
0003219312.tif 000010
【図９】
0003219312.tif 000011